(57)【特許請求の範囲】
【請求項１】
光ケーブル（２０）同士の光接続部（２７）を収納する光ケーブルクロージャにおいて、複数本の光ケーブルが挿通されるクロージャ本体（２１）と、クロージャ本体内に挿通した光ケーブルを把持固定する把持具（２４ａ、２４ｂ）同士を連結する連結部材（２２）と、それぞれ光ケーブルから導出した光ファイバ同士を光接続する光接続部（２７）を収納し、回動連結手段（２５）を介して相対回動可能に連結して棚状に積層してクロージャ本体内に収納された複数枚の収納トレー（２３）と、積層された収納トレーから分離して相対回動した一部の収納トレーを連結部材と一体的に保持する保持手段（３１、３２、３４）とを備え、
前記保持手段が、分離、回動した収納トレーに取り付けることにより、連結部材から突設した支持部材（３１）に該収納トレーを固定する固定部材（３２、３４、３８、４２）であり、
前記支持部材が、分離、回動される収納トレーの回動軌跡上で回動方向前方に配置され、該収納トレーの回動軌跡に沿って移動し、かつストッパ手段によって目的位置に支持される回動支持部材（３６）であり、分離、回動した収納トレーがストップ手段（３５）によって支持された回動支持部材によって支持されるように構成したことを特徴とする光ケーブルクロージャ。
【請求項２】
回動支持部材が、分離、回動した収納トレーを異なる複数の支持位置で支持する支持位置調整手段（４３）を具備し、固定部材（３８、４２）は支持位置調整手段で支持された収納トレーを各支持位置に対応して支持部材に固定できることを特徴する請求項１記載の光ケーブルクロージャ。
【請求項３】
前記支持位置調整手段が、前記回動支持部材の収納トレーが載置される部分に、倒立自在に設置された調整補助板（４３）であることを特徴とする請求項２記載の光ケーブルクロージャ。
【請求項４】
前記回動支持部材として機能する補助板（３６）の先端に、前記調整補助板（４３）が、調整ヒンジ（４４）を介して取り付けられ、前記調整補助板が前記補助板の上面（４５）に平行な軸線を以て回動することにより前記補助板の上面上で倒立して、収納トレーを補助板の上面上の異なる複数の支持位置で支持するようになっていることを特徴とする請求項３記載の光ケーブルクロージャ。
【請求項５】
前記固定部材が、連結部材に対して一端部が固定された帯状の面ファスナーと、積層の最上段の収納トレーに取り付けられ、前記面ファスナーの前記連結部材に対して固定された端部とは反対側の端部が係脱自在に係合される受け側の面ファスナーとで構成されていることを特徴とする請求項１〜４のいずれかに記載の光ケーブルクロージャ。
【発明の詳細な説明】
【０００１】
【発明の属する技術分野】
本発明は、光ケーブル同士の光接続部を収納する光ケーブルクロージャに関する。
【０００２】
【従来の技術】
図１７から図２０は、従来の光ケーブルクロージャを示す。
前記光ケーブルクロージャは、図１７および図１８に示すように、二つ割りに分割可能な円筒状スリーブ１の軸線方向両端部にそれぞれ設置した把持金具２によって光ケーブル３を把持するとともに、把持した一対の光ケーブル３のそれぞれから導出した光ファイバ４を光接続部５を介して接続し、光接続部５およびその接続余長６を薄板状に形成された複数枚の収納トレー７内に整理して収納している。前記収納トレー７は、スリーブ１中央部に設置した支持金具８のトレー支持板９上に積層され、支持金具８によってトレー支持板９とともにスリーブ１の軸線と平行な軸線を以て回動自在に支持されるようになっている。
【０００３】
前記支持金具８は、図１８および図１９に示すように、スリーブ１軸方向両端の把持金具２間を連結する連結板１０に固定された支持金具本体１１と、前記トレー支持板９と、支持金具本体１１のスリーブ１の側部に臨む側板１２に設けられ、トレー支持板９をスリーブ１の軸線と平行な軸線を以て回動自在に支持するヒンジ１３と、トレー支持板９の回動を規制可能な規制金具１４とを備えている。規制金具１４は、ネジ１５の締め付け力によって側板１２に対して着脱されるようになっている。支持金具本体１１に装着された規制金具１４の上部は、ヒンジ１３から突出されたトレー支持板９の当接部１６が当接されることにより、トレー支持板９の回動を一定の範囲に規制するようになっている。また、支持金具８は、規制金具１４を支持金具本体１１から離脱しておけば、トレー支持板９を自由に回動することができるようになっている。
【０００４】
積層状態の各収納トレー７相互間は、図示しないトレー間ヒンジによってヒンジ１３の回動軸線と平行な軸線を以て相対回動可能に連結されている。光接続部５としては、光コネクタ等が適用される。目的の収納トレー７について光ファイバ４の接続切り替え等の作業を行う場合には、ヒンジ１３を中心とする収納トレー７の回動とトレー間ヒンジを中心とする収納トレー７相互の回動とを利用して目的の収納トレー７の作業面を露出させる。
【０００５】
【発明が解決しようとする課題】
ところで、前記のような光ケーブルクロージャの場合、トレー間ヒンジを利用して一部の収納トレー７を他の収納トレー７に対して分離、回動させた際に、分離、回動した収納トレー７に振動が加わって該収納トレー７に収納した光ファイバ４や光接続部５の光信号の伝送に影響を与える可能性がある。特に、架空布設した光ケーブル３の光ケーブルクロージャでは光ケーブル３が振動しやすいので、分離、回動した収納トレー７の振動が他の収納トレー７にも伝播して光通信に影響を与える上、振動が大きいと、例えば図２０に示すように、収納トレー７やトレー間ヒンジが変形することが懸念される。収納トレー７が変形すると、収納トレー７内部に収納した光ファイバ４や光接続部５における光信号の伝送に影響を与える可能性がある。このため、従来の光ケーブルクロージャでは、活線状態で接続切替等の作業を行うことが困難になっていた。また、前記問題は、分離、回動した収納トレー７の積層数が多くなると変形力が増大するため、収納トレー７の積層数を増大できない原因となっていた。
【０００６】
本発明は、前述の課題に鑑みてなされたもので、分離、回動したトレーの振動を防止して、活線状態で接続切替等の作業を行うことが可能となる光ケーブルクロージャを提供することを目的とするものである。
【０００７】
【課題を解決するための手段】
本発明の光ケーブルクロージャでは、複数本の光ケーブルが挿通されるクロージャ本体と、クロージャ本体内に挿通した光ケーブルを把持固定する把持具同士を連結する連結部材と、それぞれ光ケーブルから導出した光ファイバ同士を光接続する光接続部を収納し、回動連結手段を介して相対回動可能に連結して棚状に積層してクロージャ本体内に収納された複数枚の収納トレーと、積層された収納トレーから分離して相対回動した一部の収納トレーを連結部材と一体的に保持する保持手段とを備え、前記保持手段が、分離、回動した収納トレーに取り付けることにより、連結部材から突設した支持部材に該収納トレーを固定する固定部材であり、前記支持部材が、分離、回動される収納トレーの回動軌跡上で回動方向前方に配置され、該収納トレーの回動軌跡に沿って移動し、かつストッパ手段によって目的位置に支持される回動支持部材であり、分離、回動した収納トレーがストップ手段によって支持された回動支持部材によって支持されるように構成したことを前記課題の解決手段とした。
請求項２に係る光ケーブルクロージャは、請求項１記載の光ケーブルクロージャにおいて、回動支持部材が、分離、回動した収納トレーを異なる複数の支持位置で支持する支持位置調整手段を具備し、固定部材は支持位置調整手段で支持された収納トレーを各支持位置に対応して支持部材に固定できることを特徴する。
請求項３に係る光ケーブルクロージャは、請求項２記載の光ケーブルクロージャにおいて、前記支持位置調整手段が、前記回動支持部材の収納トレーが載置される部分に、倒立自在に設置された調整補助板であることを特徴とする。
請求項４に係る光ケーブルクロージャは、請求項３記載の光ケーブルクロージャにおいて、前記回動支持部材として機能する補助板の先端に、前記調整補助板が、調整ヒンジを介して取り付けられ、前記調整補助板が前記補助板の上面に平行な軸線を以て回動することにより前記補助板の上面上で倒立して、収納トレーを補助板の上面上の異なる複数の支持位置で支持するようになっていることを特徴とする。
請求項５に係る光ケーブルクロージャは、請求項１〜４のいずれかに記載の光ケーブルクロージャにおいて、前記固定部材が、連結部材に対して一端部が固定された帯状の面ファスナーと、積層の最上段の収納トレーに取り付けられ、前記面ファスナーの前記連結部材に対して固定された端部とは反対側の端部が係脱自在に係合される受け側の面ファスナーとで構成されていることを特徴とする。
【００１１】
以下、本発明の奏する作用を説明する。
本発明の光ケーブルクロージャによれば、連結部材側に対して分離、回動した収納トレー（以下、開放トレー）を、保持手段によって連結手段と一体的に保持することにより、該開放トレーに作用する振動の影響を抑制するので、活線状態で接続切替等の作業を行うことが可能になる。
【００１２】
また、本発明の光ケーブルクロージャによれば、開放トレーを、固定部材によって支持部材に固定することにより、該開放トレーを連結部材と一体的に保持するので、該開放トレーに作用する振動の影響が抑制されて、活線状態で接続切替等の作業を行うことが可能になる。また、固定部材を開放トレーから離脱することにより、開放トレーは元の位置に積層することができる。
【００１３】
また、本発明の光ケーブルクロージャによれば、支持部材が収納トレーに先行して回動して、開放トレーを目的位置で支持するので、収納トレーの分離、回動時に支持部材を出し忘れることが防止され、開放トレーを確実に支持することができる。また、固定部材によって、目的位置に停止した支持部材に開放トレーを固定するので、開放トレーの連結部材に対する相対的な振動を確実に防止することができる。
【００１４】
請求項２記載の光ケーブルクロージャによれば、開放トレーを支持位置調整手段によって異なる複数の位置で支持するので、支持位置を調整することにより、収納トレーにおける接続切替等の作業性を向上することができる。また、開放トレーの各支持位置に対応して固定手段が開放トレーを支持部材に固定するので、いずれの支持位置においても開放トレーの振動を防止することができる。
【００１５】
【発明の実施の形態】
以下本発明の光ケーブルクロージャの第１実施形態を、図１から図５を参照して説明する。
図中符号２０は光ケーブル、２１は光ケーブルクロージャのクロージャスリーブ、２２は連結棒（連結部材）、２３は収納トレーである。
クロージャスリーブ２１は、図１に示すように、円筒状に形成され、軸方向両端面から平行な２軸線上に布線された光ケーブル２０が２本ずつ計４本挿通されるようになっている。クロージャスリーブ２１は、請求項１記載のクロージャ本体として機能する部材である。
【００１６】
クロージャスリーブ２１内には、図１および図２に示すように、内部に挿通した光ケーブル２０を把持固定する把持具２４ａ，２４ｂ同士を連結する連結棒２２と、ヒンジ部２５を介して相対回動可能に連結して棚状に積層され、それぞれ光ケーブル２０から導出した光ファイバ心線２６（光ファイバ）同士を光接続する光コネクタ２７（光接続部）を収納する複数枚の収納トレー２３とが収納されている。
連結棒２２は、十分な剛性を有する細長い板材であって、クロージャスリーブ２１の軸線と平行として、クロージャスリーブ２１の底部に配置されている。連結棒２２の長手方向両端部には、把持具２４ａ，２４ｂが一組ずつ固定されている。把持具２４ａ，２４ｂの内、連結棒２２の先端側に配置された把持具２４ａは光ケーブル２０のシースを把持し、連結棒２２の中央部側に配置された把持具２４ｂは光ケーブル２０の端末に露出させたテンションメンバ２９を把持するようになっている。
【００１７】
収納トレー２３は、連結棒２２の長手方向中央部の上面上に積層されている。積層された収納トレー２３は、すべて、長手方向両端に半円状の湾曲部３０を有する細長薄板状に形成され、連結棒２２に沿って配置されている。隣接して積層された収納トレー２３の長手方向中央部の一側部同士は、ヒンジ部２５によって連結棒２２と平行な軸線を以て相対回動自在に連結されている。また、隣接して積層した収納トレー２３の他側部同士は、図示しない係合爪によって係脱自在になっている。ヒンジ部２５は、請求項１記載の回動連結手段として機能する。
積層された収納トレー２３は、下段の収納トレー２３に対してその上側（図１および図２上側）の収納トレー２３を分離して外側に回動することにより、目的の収納トレー２３の作業面が露出されるようになっている。また、連結棒２２側に対して分離、回動した収納トレー（以下、「開放トレー」）２３は、逆方向に回動することにより、元の積層状態に戻る。
【００１８】
図３は、連結棒２２の下面側を示す。図３において、符号３１は支持バー、３２は面ファスナーである。連結棒２２の下面中央部には、支持バー３１および面ファスナー３２のそれぞれの一端部が取り付けられている。支持バー３１は、連結棒２２の厚さ方向（図３中紙面奥行き方向）に沿って配置された回動軸３３に回動自在に軸支され、連結棒２２の下面側に回動することにより収納され、連結棒２２から突出する方向に回動することにより開放トレー２３を支持可能にセットされるようになっている。図５に示すように、トレー支持位置にセットされた支持バー３１には、最上段（回動前の積層状態における最上段）の開放トレー２３のヒンジ部２５側の側面に取り付けた緩衝部材２８が当接されるようになっている。面ファスナー３２は、図２および図４に示すように、全体が布等で形成された帯状体であり、最上段の収納トレー２３に設置した受け側の面ファスナー３４と係脱自在に係合するようになっている。支持バー３１は、請求項１記載の支持部材として機能する。面ファスナー３２は、請求項１記載の保持手段として機能する。
【００１９】
以下、本実施形態の作用および効果を説明する。
前記光ケーブルクロージャでは、クロージャスリーブ２１内への収納時には、図４に示すように、全ての収納トレー２３を連結棒２２上に積層し、支持バー３１を連結棒２２の下側に収納し、面ファスナー３２の一端部を連結棒２２上に積層した最上段の収納トレー２３の面ファスナー３４と係合する。この時、面ファスナー３２は、図４中一方向から半周して積層した収納トレー２３に巻装しているが、反対側からも面ファスナー３２を取り付けて積層した収納トレー２３を一周するように巻装すれば、これら収納トレー２３を連結棒２２と一体的に保持することができ、クロージャスリーブ２１内での積層時の安定性が向上する。
【００２０】
目的の収納トレー２３について光コネクタ２７の接続切替等の作業を行う場合には、まず、クロージャスリーブ２１を取り外した後、図１に示すように、支持バー３１を回動して連結棒２２の下側から連結棒２２の側部に突出するように引き出す。次いで、面ファスナー３２を一旦最上段の収納トレー２３から取り外すとともに、目的の収納トレー２３に対してその直上の収納トレー２３を分離、回動して開放トレー２３を支持バー３１上に載置した後、図５に示すように、面ファスナー３２を最上段の開放トレー２３の面ファスナー３４と係合する。この時、面ファスナー３２は、開放トレー２３が支持バー３１から離間することを防止している。なお、面ファスナー３２は、長手方向に伸縮可能な構造に形成すれば、張力を作用させるようにして取り付けることにより、開放トレー２３に支持バー３１方向への押圧力を確実に作用させることができる。面ファスナー３２は、請求項１記載の固定手段として機能する。
【００２１】
こうすることにより、開放トレー２３が支持バー３１に押し付けられて連結棒２２と一体的になるので、該開放トレー２３の連結棒２２に対する相対的な振動が防止される。したがって、開放トレー２３の振動が抑制されるので、該収納トレー２３に収納した光ファイバ心線２６や光コネクタ２７に作用する振動の影響を減少することができ、活線状態で接続切替等の作業を行うことが可能となる。特に、架空光ケーブル２０に設置した光ケーブルクロージャでは、光ケーブル２０が風等で揺動して連結棒２２が振動することが多いが、接続切替等の作業時にケーブル２０を安定に保持しさえすれば、開放トレー２３の振動をほぼ完全に防止することができる。
【００２２】
以下、本発明の光ケーブルクロージャの第２実施形態を図６から図１０を参照して説明する。なお、図中、図１から図５と同一の構成部分には同一の符号を付し、その説明を簡略化する。図中符号３６は、請求項１記載の回動支持部材として機能する補助板である。補助板３６は、図６および図７に示すように、連結棒２２の一側部に固定されたブラケット部材３７を介して取り付けられた後述の補助板ヒンジ４０によって、前記連結棒２２に積層された収納トレー２３間を連結するヒンジ部２５と互いに平行な軸線を以て回動自在に支持されている。また、補助板３６は、収納トレー２３の回動方向前方に配置されているので、開放トレー２３を外側に回動した時に先行して回動するようになっている。補助板３６の基端部には、図７および図８に示すように、外側に回動した該補助板３６をほぼ水平（図７、図８R>８左右）に支持するストッパ３５（ストッパ手段）が取り付けられている。ストッパ３５は、補助板３６がほぼ水平になるまで回動した時に補助板ヒンジ４０と当接して回動を規制するようになっている。補助板３６の先端には、開放トレー２３が当接されるシート状のクッション４１が取り付けられている。
【００２３】
ブラケット部材３７は、断面コ字状の部材であって、コ字の開口側が下方に向くようにして連結棒２２の側部に固定されている。ブラケット部材３７の中央部には、帯状の面ファスナー３８の一端がネジ３９によって固定されている。面ファスナー３８はブラケット部材３７に二本固定され、全収納トレー２３の積層時には連結棒２２上に積層した収納トレー２３にそれぞれ反対方向から巻装して該収納トレー２３を連結棒２２と一体化するようになっている。
ブラケット部材３７の連結棒２２と対向する外側部には、補助板ヒンジ４０が、その回動軸線が収納トレー２３間のヒンジ部２５よりやや外側となるようにして取り付けられている。
【００２４】
以下、本実施形態の光ケーブルクロージャの作用および効果を説明する。
前記光ケーブルクロージャは、収納時には、図７に示すように、連結棒２２上に積層した収納トレー２３を外側に巻装した面ファスナー３８で安定に保持し、補助板３６を先端が上向き（図７上側）になるように回動して積層した収納トレー２３の側部に沿わせる。この時、補助板３６は板状であるから積層した収納トレー２３からの突出量が少なく、コンパクトに収納することができる。
【００２５】
目的の収納トレー２３で光コネクタ２７の接続切替等の作業を行う時には、図６および図８に示すように、補助板３６を倒し、次いで、図９および図１０に示すように、目的の収納トレー２３の直上の収納トレー２３を目的の収納トレー２３に対して分離、回動し、開放トレー２３をクッション４１上に載せる。そして、面ファスナー３８を最上段に積層されている収納トレー２３の上面に取り付けた受け側の面ファスナー４２に係合する。
【００２６】
こうすることにより、補助板３６に対する収納トレー２３の変位を面ファスナー３８が防止して、収納トレー２３と補助板３６とが一体化されるので、開放トレー２３は、連結棒２２に対する相対的な振動が防止され、安定に保持される。また、開放トレー２３は、補助板３６のクッション４１に当接されるので、第１実施形態の光ケーブルクロージャに比べて、防振効果が効果的に得られる。
【００２７】
この時、収納トレー２３の分離、回動前に補助板３６を倒す動作を忘れても、開放トレー２３の分離、回動時に補助板３６が常に収納トレー２３の回動方向前方で開放トレー２３とともに回動するので、補助板３６を出し忘れて開放トレー２３内の光ファイバ心線２６や光コネクタ２７に衝撃を与えるといった本質的なミスを防止することができる。また、開放トレー２３は補助板３６のクッション４１に当接して支持されるので、収納トレー２３と補助板３６とが一体的に回動した場合であっても、内部に収納した光ファイバ心線２６や光コネクタ２７に与える衝撃力が緩和され、これら光部品の光信号の伝送特性を維持することができる。
【００２８】
以下、本発明の第３実施形態の光ケーブルクロージャを図１１から図１６を参照して説明する。なお、図６から図１０と同一の構成部分には同一の符号を付し、その説明を簡略化する。図中符号４３は、請求項２記載の支持位置調整手段として機能する調整補助板である。本実施形態の光ケーブルクロージャは、第２実施形態記載の補助板３６の開放トレー２３が載置される部分に、倒立自在な調整補助板４３を設置したものである。
【００２９】
調整補助板４３は、図１１および図１２に示すように、補助板３６の先端に調整ヒンジ４４を介して取り付けられ、補助板３６の上面４５に平行な軸線を以て回動することにより上面４５上で倒立して、開放トレー２３を補助板３６の上面４５上の異なる複数の支持位置で支持するようになっている。調整補助板４３は、使用しない時には、図１１および図１３に示すように、補助板３６に重ねるように折り畳んで収納され、使用時には、図１２に示すように補助板３６から起立させ、その上端部４６で開放トレー２３を支持するようになっている。
なお、起立させた調整補助板４３は、調整ヒンジ４４に設けられた図示しないストッパによって、補助板３６から１００度前後回動した位置で支持されるようになっている。
【００３０】
以下、本実施形態の作用および効果を説明する。
図１３は収納状態を示す。図において、収納トレー２３は全て連結棒２２上に積層され、補助板３６は調整補助板４３を折り畳んだ上、回動先端が上（図中上側）に向くように回動し、積層した収納トレー２３の側部に沿わせる。また、収納トレー２３および補助板３６に面ファスナー３８を巻装して、これら収納トレー２３および補助板３６を連結棒２２と一体的に保持する。
【００３１】
目的の収納トレー２３で光コネクタ２７の接続切替等を作業を行う場合には、まず、図１４に示すように、面ファスナー３８を最上段に積層されている収納トレー２３から取り外し、補助板３６を横倒しにする。横倒しにした補助板３６は、ストッパ３５によってほぼ水平（図中左右）に支持される。
この時、目的の収納トレー２３の直上の収納トレー２３を分離、回動すれば、開放トレー２３が補助板３６に折り畳まれている調整補助板４３上に載置されて、支持される。また、図１２および図１５、図１６に示すように、調整補助板４３を起立させて、開放トレー２３を分離、回動した場合には、開放トレー２３が起立した調整補助板４３の上端部４６に支持される。こうすることにより、開放トレー２３の回動角度が緩和されて、相対回動された収納トレー２３間を連結するヒンジ部２５および該ヒンジ部２５に近い収納トレー２３に作用する変形力を軽減することができるとともに、開放トレー２３の水平方向の変位量が減少して光ケーブルクロージャ全体の振動を抑制することができる。特に、上層に積層された収納トレー２３を分離、回動した時には、回動角度の減少および回動による水平変位量が大幅に減少するので、前述の効果が顕著になる。
【００３２】
開放トレー２３の調整補助板４３上への載置が完了したら面ファスナー３８を、積層の最上段の開放トレー２３に取り付けた受け側の面ファスナー４２と係合させて張力を作用させることにより、開放トレー２３の調整補助板４３に対する変位を規制する。こうすることにより、開放トレー２３は、調整補助板４３および補助板３６を介して連結棒２２と一体的に保持されるので、調整補助板４３を起立させて回動角度を抑制した場合であっても連結棒２２に対する相対的な振動を防止することができる。
なお、面ファスナー３８は、補助板３６に折り畳んだ調整補助板４３上に開放トレー２３を載置した場合であっても、最上段の開放トレー２３の面ファスナー４２と容易に係合することができる。
【００３３】
なお、開放トレー２３を補助板３６あるいは調整補助板４３に押圧して固定する固定手段は、面ファスナーに限定されるものでは無い。
光ケーブルクロージャのクロージャ本体は、各実施形態に記載したクロージャスリーブ２１に限定されない。
開放トレー２３を保持する保持手段は、開放トレー２３を連結棒２２と一体的に保持可能であれば、支持バー３１および補助板３６、調整補助板４３と面ファスナーとの組み合わせに限定されない。
【００３４】
【発明の効果】
本発明の光ケーブルクロージャによれば、開放トレーを、保持手段によって連結手段と一体的に保持することにより、開放トレーの連結部材に対する相対的な振動が防止されて該開放トレーに作用する振動の影響を抑制することができるので、活線状態で接続切替等の作業を行うことが可能になるといった優れた効果を奏する。
【００３５】
また、本発明の光ケーブルクロージャによれば、開放トレーを、固定部材によって支持部材に固定することにより、該開放トレーを連結部材と一体的に保持するので、開放トレーが目的の支持位置で安定に支持されるとともに連結部材に対する相対的な振動が防止され、活線状態で接続切替等の作業を行うことが可能になるといった優れた効果を奏する。
【００３６】
また、本発明の光ケーブルクロージャによれば、支持部材が開放トレーに先行して回動して、開放トレーを目的位置で支持するので、開放トレーの分離、回動時に支持部材を出し忘れることが防止され、開放トレーを確実に支持することができるといった優れた効果を奏する。
【００３７】
請求項２に係る光ケーブルクロージャによれば、開放トレーを支持位置調整手段によって異なる複数の位置で支持するので、開放トレーの支持位置を調整することにより、開放トレーにおける接続切替等の作業性を向上することができる。また、開放トレーの各支持位置に対応して固定手段が開放トレーを支持部材に固定するので、いずれの支持位置においても開放トレーの振動を抑制することができ、活線状態で接続切替等の作業を行うことが可能になるといった優れた効果を奏する。
【図面の簡単な説明】
【図１】  本発明の光ケーブルクロージャの第１実施形態を示す斜視図である。
【図２】  図１の光ケーブルクロージャの作用を示す斜視図である。
【図３】  図１の光ケーブルクロージャの連結棒の下面図である。
【図４】  図１の光ケーブルクロージャを示す図であって、収納トレーの収納状態を示す側面図である。
【図５】  図１の光ケーブルクロージャの作用を示す側面図である。
【図６】  本発明の光ケーブルクロージャの第２実施形態を示す斜視図である。
【図７】  図２の光ケーブルクロージャを示す図であって、収納トレーの収納状態を示す側面図である。
【図８】  図２の光ケーブルクロージャの作用を示す側面図である。
【図９】  図２の光ケーブルクロージャの作用を示す側面図である。
【図１０】  図２の光ケーブルクロージャの作用を示す斜視図である。
【図１１】  本発明の光ケーブルクロージャの第３実施形態を示す斜視図である。
【図１２】  図３の光ケーブルクロージャの作用を示す斜視図である。
【図１３】  図３の光ケーブルクロージャを示す図であって、収納トレーの収納状態を示す側面図である。
【図１４】  図３の光ケーブルクロージャの作用を示す側面図である。
【図１５】  図３の光ケーブルクロージャの作用を示す側面図である。
【図１６】  図３の光ケーブルクロージャの作用を示す側面図である。
【図１７】  従来例の光ケーブルクロージャを示す平面図である。
【図１８】  図１７の光ケーブルクロージャの側面図である。
【図１９】  図１７の光ケーブルクロージャが有する課題を示す拡大側面図である。
【図２０】  図１７の光ケーブルクロージャが有する課題を示す拡大側面図である。
【符号の説明】
２０…光ケーブル、２１…クロージャスリーブ、２２…連結部材（連結棒）、２３…収納トレー、２４ａ…把持具、２４ｂ…把持具、２５…回動連結手段（ヒンジ部）、２７…光接続部（光コネクタ）、３１…支持部材（支持バー）、３２…固定部材（面ファスナー）、３４…固定部材（面ファスナー）、３５…ストッパ手段（ストッパ）、３６…回動支持部材（補助板）、３８…固定部材（面ファスナー）、４２…固定部材（面ファスナー）、４３…支持位置調整手段（調整補助板）。
【図１】
0003765876.tif 000002
【図２】
0003765876.tif 000003
【図３】
0003765876.tif 000004
【図４】
0003765876.tif 000005
【図５】
0003765876.tif 000006
【図６】
0003765876.tif 000007
【図７】
0003765876.tif 000008
【図８】
0003765876.tif 000009
【図９】
0003765876.tif 000010
【図１０】
0003765876.tif 000011
【図１１】
0003765876.tif 000012
【図１２】
0003765876.tif 000013
【図１３】
0003765876.tif 000014
【図１４】
0003765876.tif 000015
【図１５】
0003765876.tif 000016
【図１６】
0003765876.tif 000017
【図１７】
0003765876.tif 000018
【図１８】
0003765876.tif 000019
【図１９】
0003765876.tif 000020
【図２０】
0003765876.tif 000021